(57)【特許請求の範囲】
【請求項１】
アンカーの緊張あるいは切断に使用するためのアンカー緊張装置において、アンカー（１０）埋設側（Ｅ）に当接されたベース（３）を備え、そのベース（３）には複数のジャッキ（１、１）が立設しており、それらのジャッキ（１、１）のベース（３）の反対側を互いに連結してアンカー（１０）に緊張を付与するための連結部材（２）が設けられ、その連結部材（２）は前記ジャッキ（１、１）の一部を覆う筒状部分（２ｃ、２ｃ）とその筒状部分（２ｃ、２ｃ）を上下端で互いに連結する連結部分（２ａ、２ｂ）とで構成され、前記連結部分（２ａ、２ｂ）および前記ベース（３）には両ジャッキ（１、１）間の中央部に複数本のアンカー余長部（１０ａ）を通す切り欠き孔（Ｈ）が設けられ、その切り欠き孔（Ｈ）の一方側を開放する開閉自在な開閉扉（４）が設けられ、そしてアンカー余長部（１０ａ）をその貫通孔に挿入して係止するプーリングヘッド（１２）が設けられ、前記プーリングヘッド（１２）を下方の前記連結部分（２ｂ）および閉状態の前記開閉扉（４）に着座させて前記ジャッキ（１、１）の伸長力を前記プーリングヘッド（１２）に付与させるようにされていることを特徴とするアンカー緊張装置。
【発明の詳細な説明】
【０００１】
【発明の属する技術分野】
本発明は、各種のアンカーの緊張あるいは切断に使用するアンカー緊張装置の改良に関する。
【０００２】
【従来の技術】
従来、アンカーの緊張作業には、大型で重量の重いセンターホール型ジャッキを使用していた。このために緊張作業の施工能率が低く、作業員に対しても重労働が課せられていた。
【０００３】
すなわち、図６〜図８に示すように、従来の施工方法では、アンカー１０の余長部１０ａにまず、ラムチェア１４を装着し（図６参照）、その上部にレッカー等によって被せるようにしてジャッキ１１を装着する（図７参照）。そして、そのジャッキ１１の作動によってアンカー１０に緊張力を負荷していた（図８参照）。なお、符号１２は、プーリングヘッドを示す。
【０００４】
ジャッキ１１としてはセンターホールジャッキを使用するので、中央部に大きな空間を必要とし、受圧面積の確保が難しく、ジャッキの大型化、重量増大は避けられなかった。そして、大重量ジャッキは人力作業では困難となることが多いという問題があった。
また、ジャッキ下部には、アンカーを把持するために各工程専用のラムチェア１４が必要で、アンカーの余長１０ａが長くなり、そのために狭隘な場所での施工が困難であって重機等の使用を要し、施工費も高額となっていた。
【０００５】
【発明が解決しようとする課題】
本発明は、上記問題点に対処し、小形軽量で重機を用いることなく人力で操作ができ、かつ狭隘な場所においても効率よく施工が可能なアンカー緊張装置を提供することを目的としている。
【０００６】
【課題を解決するための手段】
本発明によれば、アンカーの緊張あるいは切断に使用するためのアンカー緊張装置において、アンカー（１０）埋設側（Ｅ）に当接されたベース（３）を備え、そのベース（３）には複数のジャッキ（１、１）が立設しており、それらのジャッキ（１、１）のベース（３）の反対側を互いに連結してアンカー（１０）に緊張を付与するための連結部材（２）が設けられ、その連結部材（２）は前記ジャッキ（１、１）の一部を覆う筒状部分（２ｃ、２ｃ）とその筒状部分（２ｃ、２ｃ）を上下端で互いに連結する連結部分（２ａ、２ｂ）とで構成され、前記連結部分（２ａ、２ｂ）および前記ベース（３）には両ジャッキ（１、１）間の中央部に複数本のアンカー余長部（１０ａ）を通す切り欠き孔（Ｈ）が設けられ、その切り欠き孔（Ｈ）の一方側を開放する開閉自在な開閉扉（４）が設けられ、そしてアンカー余長部（１０ａ）をその貫通孔に挿入して係止するプーリングヘッド（１２）が設けられ、前記プーリングヘッド（１２）を下方の前記連結部分（２ｂ）および閉状態の前記開閉扉（４）に着座させて前記ジャッキ（１、１）の伸長力を前記プーリングヘッド（１２）に付与させるようにされている。
【０００７】
このように構成された本発明によれば、連結部材の開閉扉を開いてアンカーの余長部を側方から複数のジャッキ間に平行に挿入して、プーリングヘッドに係止して、ジャッキを作動することにより、プーリングヘッドを介してアンカーに緊張力が付加される。
【０００８】
ここで、アンカーがワイヤである場合は、当該ワイヤをプーリングヘッドに係止するために、所謂くさび（或いはグリッパ）を用いることが好ましい。
一方、アンカーが鋼棒である場合には、該鋼棒の端部にネジ山を形成し、プーリングヘッドの貫通孔に挿入された鋼棒のネジ山にナットを螺合させることにより、該鋼棒（アンカー）をプーリングヘッドに係止するのが好ましい。
【０００９】
ジャッキを作動して、プーリングヘッドを介してアンカーに緊張力が付加されたならば、アンカーをアンカーヘッドに固定する。
この際においても、アンカーがワイヤである場合は、所謂くさび（或いはグリッパ）を用いて、当該ワイヤをアンカーヘッドに固定するのが好ましい。
そして、アンカーが鋼棒である場合においても、該鋼棒の端部に形成されたネジ山に対して、予めプーリングヘッドとアンカーヘッドとの間に配置しておいたナットを螺合するのが好ましい。
【００１０】
複数のジャッキを使用することによって、本発明にかかるアンカー緊張装置は小形軽量化され、重機を使用せず人力作業で施工が可能である。
また、ジャッキ間にプーリングヘッドを挿着することによりラムチェアが不要となり、アンカーを側方から挿入することと相俟って余長部が短くすることが出来る。
さらに、複数のジャッキ間の隙間からくさび或いはナットを容易に操作出来るので、従来のラムチェアに設けられた窓から手を入れて作業することに比較して、各種操作が容易となり、作業性が改善され、狭隘な場所でのアンカー緊張作業の施工が可能となるのである。
【００１１】
なお、本発明はワイヤ、鋼棒、いずれのアンカ−にも対応でき、アンカーの緊張のほか、切断に用いることもできる。
【００１２】
【発明の実施の形態】
以下、図面を参照して本発明の実施形態を説明する。
図１及び図２において、アンカー埋設側Ｅ（図１の右方）に当接されたベース３には２本の油圧式のジャッキ１、１が平行に立設されており、それらのジャッキ１、１の他端を互いに連結してアンカー（図示してない）に緊張を付与する連結部材２が設けられている。
【００１３】
その連結部材２は、ジャッキ１、１の一部をそれぞれ覆う筒状部分２ｃ、２ｃとその筒状部分２ｃ、２ｃをその上下端部で互いに連結している連結部分２ａ、２ｂとで形成されており、その連結部分２ａ、２ｂおよび前記ベース３には、両ジャッキ１、１間の中央部にアンカー余長部（１０ａ）を通す切り欠き孔Ｈが設けられている。そして、その切り欠き孔Ｈは、側方の一方側に開放されており、開閉自在（図２の鎖線で示す）な開閉扉４が設けられ、アンカー余長部を側方から挿入し、プーリングヘッド１２に係止するように構成されている。
【００１４】
図１及び図２では明確に図示されてはいないが、アンカー余長部をプーリングヘッド１２に係止するに際しては、アンカー余長部をプーリングヘッド１２の貫通孔に挿入し、当該貫通孔内壁面とアンカー外周面との間隔に、所謂くさび（或いはグリッパ）を配置すれば良い。
一方、アンカーが鋼棒である場合には、当該アンカーの上端部に雄ネジ（ネジ山）を形成し、アンカー上端部をプーリングヘッド１２の貫通孔を通過せしめ、その後、ナットを前記ネジ山と螺合させれば良い。
【００１５】
次に、図３−図５を参照して、ＰＣ鋼線をアンカーとして用いる場合について、アンカー緊張作業の手順を説明する。
アンカーの緊張作業は、まず、開閉扉４を開いて、図３で示す様に、アンカー余長部１０ａをジャッキ１、１間に挿入し、プーリングヘッド１２の貫通口に挿入する。そして、図３においてハッチングを付けた矢印Ｉ１で示す様に、グリッパ（メッキグリッパ）２０或いはくさびにより、アンカー余長部１０ａをプーリングヘッド１２に固着し、係止する。
【００１６】
図３の状態からジャッキ１、１に油圧を供給して作動しプーリングヘッド１２を上昇せしめ（図４では右方、矢印Ｕ方向、に移動する）、アンカー１０と共に、アンカー余長部１０ａ（より詳細には、プーリングヘッド１２よりも下方、図３、図４では左方、におけるアンカー余長部１０ａ）を緊張する。すなわち、アンカー１０に対して引張力を付加し、以って、アンカー力を導入する。
そして、図４においてハッチングを付した矢印Ｉ２で示す様に、定着用くさび２２をアンカーヘッド１３の貫通口に設置して、アンカー１０をアンカーヘッド１３に対して固着（定着）する。
【００１７】
ここで、複数のジャッキ１、１に油圧を掛けて作動し、アンカーを緊張するに際しては、アンカーに付加される緊張力を均一とするために、複数のジャッキ１、１の上昇を均一に行わなければならない。
そのために、明確に図示はされていないが、図示の実施形態においては、例えば、ジャッキ１、１へ供給される圧油の流量を電子的制御手法により精密に制御したり、或いは、圧油供給源からジャッキ１、１へ連通する圧油供給ラインに介装された制御バルブの開度を精密に調節している。
【００１８】
また、図示はされてはいないが、アンカーが鋼棒である場合には、アンカーには予め定着用ナットを螺着しておき、緊張力が付加されたアンカーに形成されたネジ山に対して、定着用ナットをねじ込むことにより、アンカーをアンカーヘッド１３に固定し定着する。
【００１９】
図４で示す様にアンカー力を付加した後、図５で示す様に、ジャッキ１、１を緩め或いは供給圧力を降圧し、プーリングヘッド１２を下降して、図５において矢印Ｄで示す様に、図５の左方に移動する。これにより、アンカーヘッド１３よりも上方（図５では右方）のアンカーヘッド余長部１０ａに作用する引張力は消失する。そして、装置を取り除く。
ここで、装置を取り除いたとしても、アンカーはアンカーヘッド１３に固定されている。換言すれば、アンカーは、アンカーヘッド１３により、緊張状態で保持されているのである。
【００２０】
図示の実施形態はあくまでも例示であり、本発明の技術的範囲を限定する趣旨の記述ではない。例えば、上述した様に、本発明はＰＣ鋼線のアンカーのみならず、鋼棒のアンカーの緊張作業にも適用可能である。
【００２１】
【発明の効果】
本発明は以上説明したように構成され、以下に示す効果を奏する。
（１）  複数の油圧ジャッキを使用することで小形軽量化でき、重機を使用せず人力作業で施工可能であって施工費が低減できる。
（２）  プーリングヘッドを２本のジャッキ間に挿着することで、ラムチェアが不要となる。
（３）  側方挿入によってアンカー余長部が短くできる。
（４）  側方挿入によって、操作性が改善されると共に、狭隘な場所での施工が可能となる。
（５）  ワイヤ、または鋼棒のアンカーを緊張、再緊張、あるいは切断による除去等の多くの作業に使用できる。
【図面の簡単な説明】
【図１】本発明の一実施形態を示す側面図。
【図２】図１のＡ−Ａ矢視図。
【図３】図１、図２の実施形態によるアンカー緊張作業の１工程を示す図。
【図４】図３に連続する１工程を示す図。
【図５】図４に連続する１工程を示す図。
【図６】従来のアンカー緊張作業におけるラムチェア取り付けを説明する図。
【図７】図６のラムチェア取り付け後のジャッキ取り付けを説明する図。
【図８】図７のジャッキ取り付け後の緊張作業を説明する図。
【符号の説明】
１、１１・・・ジャッキ
２・・・連結部材
３・・・ベース
４・・・開閉扉
１０・・・アンカー
１２・・・プーリングヘッド
１３・・・アンカーヘッド
１４・・・ラムチェア
【図１】
0003654570.tif 000002
【図２】
0003654570.tif 000003
【図３】
0003654570.tif 000004
【図４】
0003654570.tif 000005
【図５】
0003654570.tif 000006
【図６】
0003654570.tif 000007
【図７】
0003654570.tif 000008
【図８】
0003654570.tif 000009